(57)【要約】  本発明は、投与経験を改善するための水溶性単位用量物品の使用に関する。【特許請求の範囲】
【請求項１】
少なくとも第１の水溶性フィルムと、第２の水溶性フィルムとを含む、単位用量物品の使用であって、単位用量物品が、前記単位用量物品内に含まれる組成物を含んでもよく、
使用者の洗剤投与経験を改善するために、前記第１の水溶性フィルムおよび前記第２の水溶性フィルムが、互いに化学的に異なり、
前記第１の水溶性フィルムが、第１の伸び弾性率を有し、前記第２の水溶性フィルムが、第２の伸び弾性率を有し、前記第１の伸び弾性率が、前記第２の伸び弾性率よりも大きく、前記第１の伸び弾性率と前記第２の伸び弾性率との間の差異が、０．５ＭＰａ〜１０ＭＰａである；
但し、前記組成物が、布地ケア組成物または家庭用ケア組成物であり、フィルムが、ポリビニルアルコールホモポリマー樹脂とアニオン性ポリビニルアルコールコポリマー樹脂とのブレンドを含む場合、次いで第１の水溶性フィルムおよび前記第２の水溶性フィルムの両方は、６５重量％以上のアニオン性ポリビニルアルコールコポリマー樹脂を含むブレンドを含むことを条件とし、かつ
前記組成物が、布地ケア組成物または家庭用ケア組成物であり、フィルムが、少なくとも２つのアニオン性ポリビニルアルコールコポリマー樹脂のブレンドを含む場合、次いで第１の水溶性フィルムおよび前記第２の水溶性フィルムの両方は、少なくとも２つのアニオン性ポリビニルアルコールコポリマー樹脂のブレンドを含むことを条件とする、使用。
【請求項２】
前記第１の伸び弾性率と前記第２の伸び弾性率との間の差異が、１ＭＰａ〜８ＭＰａ、好ましくは２ＭＰａ〜７ＭＰａである、請求項１に記載の使用。
【請求項３】
前記第１の伸び弾性率が、１ＭＰａ〜２０ＭＰａ、好ましくは３ＭＰａ〜２０ＭＰａである、請求項１または２に記載の使用。
【請求項４】
前記第２の伸び弾性率が、１ＭＰａ〜１５ＭＰａ、好ましくは３ＭＰａ〜１５ＭＰａである、請求項１〜３のいずれか一項に記載の使用。
【請求項５】
前記第１の水溶性フィルムが、第１の引張破断歪みを有し、前記第２の水溶性フィルムが、第２の引張破断歪みを有し、前記第１の引張破断歪みが、前記第２の引張破断歪みより大きく、前記第１の引張破断歪みと前記第２の引張破断歪みとの間の差異が、１０％〜１０００％、好ましくは１００％〜７５０％、より好ましくは２００％〜５００％であり、
前記第１の引張破断歪みが、３００％〜１６００％、好ましくは４００％〜１２００％、より好ましくは７００％〜１２００％であり、
前記第２の引張破断歪みが、３００％〜１２００％、好ましくは５００％〜１０００％である、請求項１〜４のいずれか一項に記載の使用。
【請求項６】
前記第１の水溶性フィルムが、第１の水溶性樹脂を含み、前記第２の水溶性フィルムが、第２の水溶性樹脂を含み、好ましくは、前記第１の水溶性樹脂が、少なくとも１つのポリビニルアルコールホモポリマー、もしくは少なくとも１つのポリビニルアルコールコポリマー、またはそれらのブレンドを含み、前記第２の水溶性樹脂が、少なくとも１つのポリビニルアルコールホモポリマー、もしくは少なくとも１つのポリビニルアルコールコポリマー、またはそれらのブレンドを含む、請求項１〜５のいずれか一項に記載の使用。
【請求項７】
前記第１の水溶性樹脂が、ポリビニルアルコールホモポリマーと、アニオン性モノマー単位を含むポリビニルアルコールコポリマーとのブレンドを含み、前記ブレンドは、前記第１のフィルム中の前記第１の水溶性樹脂の総重量に基づいて、０％〜７０％の前記アニオン性モノマー単位を含むポリビニルアルコールコポリマーと、３０％〜約１００％の前記ポリビニルアルコールホモポリマーを含んでもよく、または前記ブレンドは、前記第１のフィルム中の前記第１の水溶性樹脂の総重量に基づいて、１０％〜７０％、もしくは１５％〜約６５％、もしくは２０％〜５０％、もしくは３０％〜４０％の前記アニオン性モノマー単位を含むポリビニルアルコールコポリマーを含んでもよい、請求項６に記載の使用。
【請求項８】
前記第２の水溶性樹脂が、ポリビニルアルコールホモポリマーと、アニオン性モノマー単位を含むポリビニルアルコールコポリマーとのブレンドを含み、前記ブレンドが、前記第２のフィルム中の前記第２の水溶性樹脂の総重量に基づいて、０％〜７０％の前記アニオン性モノマー単位を含むポリビニルアルコールコポリマーと、３０％〜１００％の前記ポリビニルアルコールホモポリマーを含んでもよく、または前記ブレンドが、前記第２のフィルム中の前記第２の水溶性樹脂の総重量に基づいて、１０％〜７０％、もしくは１５％〜６５％、もしくは２０％〜５０％、もしくは３０％〜４０％の前記アニオン性モノマー単位を含むポリビニルアルコールコポリマーを含んでもよい、請求項６または７に記載の使用。
【請求項９】
前記第１の水溶性樹脂が、前記第１の水溶性樹脂の６５重量％以上の前記アニオン性モノマー単位を含むポリビニルアルコールコポリマーを含み、前記第２の水溶性樹脂が、前記第２の水溶性樹脂の６５重量％以上の前記アニオン性モノマー単位を含むポリビニルアルコールコポリマー含む、請求項７または８に記載の水溶性単位用量物品。
【請求項１０】
前記アニオン性モノマー単位が、ビニル酢酸、アルキルアクリレート、マレイン酸、マレイン酸モノアルキル、マレイン酸ジアルキル、マレイン酸モノメチル、マレイン酸ジメチル、無水マイレン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせに由来するアニオン性モノマーからなる群から選択され、好ましくは、前記アニオン性モノマー単位が、マレイン酸、マレイン酸モノアルキル、マレイン酸ジアルキル、無水マレイン酸、それらのアルカリ金属塩、それらのエステル、およびそれらの組み合わせに由来するアニオン性モノマーからなる群から選択され、より好ましくは、前記アニオン性モノマー単位が、マレイン酸、マレイン酸モノメチル、マレイン酸ジメチル、無水マレイン酸、それらのアルカリ金属塩、それらのエステル、およびそれらの組み合わせに由来するアニオン性モノマーからなる群から選択される、請求項１〜９のいずれか一項に記載の使用。
【請求項１１】
前記第１の水溶性フィルムおよび前記第２の水溶性フィルムが独立して、前記単位用量物品への組み込みの前に、４０ミクロン〜１００ミクロン、好ましくは６０ミクロン〜９０ミクロン、より好ましくは７０ミクロン〜８０ミクロンの厚さを有し、好ましくは、前記単位用量物品への組み込みの前の、前記第１の水溶性フィルムと前記第２の水溶性フィルムとの間の厚さの差異が、５０％未満、好ましくは３０％未満、より好ましくは２０％未満、さらにより好ましくは１０％未満、または０％である、請求項１〜１０のいずれか一項に記載の使用。
【請求項１２】
前記第１の水溶性フィルムが、第１の保水量を有し、前記第２の水溶性フィルムが、第２の保水量を有し、前記第１の保水量が、前記第２の保水量より少なく、前記第１の水溶性フィルムの前記保水量と前記第２の水溶性フィルムの前記保水量との間の差異が、０．０１％〜１％、好ましくは０．０３〜０．５％、より好ましくは０．０５％〜０．３％である、請求項１〜１１のいずれかに記載の使用。
【請求項１３】
前記第１の水溶性フィルムが、１％〜１０％、好ましくは２％〜８％、より好ましくは３％〜６％の保水量を有し、前記第２の水溶性フィルムが、１．５％〜１２％、好ましくは２．５％〜１０％、より好ましくは３．５％〜８％の保水量を有する、請求項１２に記載の使用。
【請求項１４】
使用者の投与経験が、前記使用者が保管容器から少なくとも１つの水溶性単位用量物品を移すことを含む、請求項１〜１３のいずれか一項に記載の使用。
【請求項１５】
前記移すことが手によるものである、請求項１４に記載の使用。
【請求項１６】
前記使用者の投与経験が、前記使用者が保管容器から少なくとも１つの水溶性単位用量物品を、自動洗濯機、好ましくは自動洗濯機のドラムに手によって移すことを含む、請求項１〜１５のいずれか一項に記載の使用。
【請求項１７】
前記保管容器が、可撓性の、好ましくは再密封可能な袋、剛性の、好ましくは再閉鎖可能なタブ型容器、またはそれらの混合物であり、好ましくは、前記保管容器が、小児用安全封止を含む、請求項１６に記載の使用。
【請求項１８】
前記改善された使用者の投与経験が、前記水溶性単位用量物品を前記保管容器から前記自動洗濯機、好ましくは前記自動洗濯機のドラムへ移している間に、使用者の手の中で前記水溶性単位用量物品が時期尚早に破裂する回数の減少を含む、請求項１６または１７に記載の使用。
【請求項１９】
前記単位用量物品が、非家庭用ケア組成物を含む、請求項１〜１８のいずれか一項に記載の使用。
【請求項２０】
前記非家庭用ケア組成物が、農業用組成物、航空用組成物、食品および栄養組成物、工業用組成物、家畜用組成物、海洋用組成物、医療用組成物、商業用組成物、軍用および準軍用組成物、事務用組成物、ならびにレクリエーション用および公園用組成物、ペット用組成物、水処理用組成物から選択される、請求項１９に記載の使用。
【請求項２１】
前記非家庭用ケア組成物が、農業用組成物を含む、請求項２０に記載の使用。
【請求項２２】
前記非家庭用ケア組成物が、水処理用組成物を含む、請求項２０に記載の使用。
【発明の詳細な説明】
【技術分野】
【０００１】
関連出願の相互参照
米国特許法第１１９条（ｅ）に基づく２０１６年６月１３日に出願された米国仮特許出願第６２／３４９，６１１号の利益が本明細書よって主張され、その開示は本明細書に参照により本明細書によって組み込まれる。
本開示は、最終使用者の投与経験を改善するための、水溶性単位用量物品の使用に関する。
【背景技術】
【０００２】
水溶性洗剤単位用量物品は、それらが使用のために組成物を投与する好都合な、効率的で清潔な方法であるため、使用者によって好まれる。水溶性単位用量形態は、使用者が用量自体を測定する必要もなく、また一部の使用者が厄介で不便であると見出す単位用量内容物の偶発的な漏出に悩まされないことを意味する。
【０００３】
しかしながら、そのような水溶性単位用量物品は、扱い中に時期尚早な破裂を被る可能性がある。例えば、使用者が、水溶性単位用量物品を移す、またはそうでなければ扱う場合、例えば、洗剤単位用量を保管容器から自動洗濯機、例えば、自動洗濯機のドラムに移すことにおいて、水溶性フィルムが、裂けるか、または引き裂け、使用者の手に内容物の時期尚早な放出をもたらす可能性がある。これは、使用者が、操作が「厄介」および不便であると見出すため、投与の経験に悪影響を与える。
【０００４】
さらに、そのような時期尚早な破裂は、輸送中に、袋またはタブ型などの保管容器内で生じ得る。これは、単位用量物品が破裂した物品からの組成物で汚染されているために、使用者にとって厄介で不便な投与／扱いの経験を再びもたらす。
【０００５】
したがって、当該技術分野において、使用者の投与経験を改善する必要性がある。
【０００６】
驚くべきことに、本発明による水溶性単位用量物品の使用は、この技術的問題を克服したことが見出された。
【発明の概要】
【０００７】
本発明は、少なくとも第１の水溶性フィルムと、第２の水溶性フィルムと、任意に単位用量物品内の組成物とを含む単位用量物品を開示し、第１の水溶性フィルムおよび第２の水溶性フィルムが、互いに化学的に異なり、それらの使用は、使用者の投与経験を改善するためであり、第１の水溶性フィルムが、第１の伸び弾性率を有し、第２の水溶性フィルムが、第２の伸び弾性率を有し、第１の伸び弾性率が、第２の伸び弾性率よりも大きく、第１の伸び弾性率と第２の伸び弾性率との間の差異が、０．５ＭＰａ〜１０ＭＰａの範囲である。
本明細書の図は、本質的に例示的なものであり、限定を意図するものではない。
【図面の簡単な説明】
【０００８】
【図１】単位用量物品強度試験および密封不良試験の基本構成の概略図を示す。
【図２】パウチの側断面図を示す。
【図３】多区画パウチを示す。
【発明を実施するための形態】
【０００９】
本開示は、単位用量物品に関し、ならびに少なくとも１つの第１の水溶性フィルム、第２の水溶性フィルム、および任意に単位用量物品内に含まれる組成物を含む単位用量物品の使用に関するものであり、使用者の投与経験を改善するために、第１の水溶性フィルムおよび第２の水溶性フィルムは、互いに化学的に異なる。
【００１０】
単位用量物品、第１の水溶性フィルム、第２の水溶性フィルム、および任意の組成物は、以下により詳細に説明される。
【００１１】
好ましくは、使用者の投与経験は、使用者が少なくとも１つの水溶性単位用量物品を移すか、そうでなければそれを扱うことを含み、例えば、使用のために保管容器から別のコンテナまたは場所に移すことを含む。１つ以上の水溶性単位用量物品は、例えば、水分調整用途のために、バルク水に直接添加され得るか、または基板、例えば、農薬単位用量物品の場合には土地に分散され得る。水溶性単位用量物品は、手によって扱われてもよい。水溶性単位用量物品は、機械装置、例えばコンベア、選別機などによって扱われてもよい。
【００１２】
洗剤単位用量物品の使用者の投与経験は、使用者が少なくとも１つの水溶性単位用量物品を保管容器から自動洗濯機に、好ましくは自動洗濯機のドラムに移すことを含み得る。代替的には、水溶性単位用量物品は、自動洗濯機の引き出しに添加されてもよい。水溶性単位用量物品は、手によって洗濯機に添加されてもよい。水溶性単位用量物品は、手によってドラムに添加されてもよい。代替的には、保管容器から洗濯機、好ましくはドラムに分配されてもよい。当業者は、関連する保管容器を認識しているであろう。
【００１３】
洗剤水溶性単位用量物品は、手によって洗濯機に添加されてもよい。洗剤水溶性単位用量物品は、手によってドラムに添加されてもよい。代替的には、保管容器から洗濯機、好ましくはドラムに分配されてもよい。当業者は、関連する保管容器を認識しているであろう。
【００１４】
当業者は、好適な自動洗濯機を認識しているであろう。当業者は、自動洗濯機が、ドラムおよび引き出しを備え、当該ドラムまたは引き出しを位置付け、それに応じて布地および水溶性単位用量物品の両方をそこに追加することができることも認識しているであろう。
【００１５】
当業者は、関連する保管容器を認識しているであろう。好ましくは、保管容器は、可撓性の、好ましくは再密封可能な袋、剛性の、好ましくは再閉鎖可能なタブ型容器、またはそれらの混合物であり、好ましくは、保管容器が、小児用安全封止を含む。当業者は、好適な小児用安全封止を認識するであろう。
【００１６】
好ましくは、改善された使用者の投与経験は、例えば、移している間、例えば、使用するために水溶性単位用量物品を保管容器からコンテナ、例えば、洗浄ドラムへ移している間に、取り扱いを行う機械または使用者の手の中で、水溶性単位用量物品が時期尚早に破裂する回数の減少を含む。
【００１７】
理論によって拘束されることを望むものではないが、驚くべきことに、本発明による特定の単位用量物品の使用が、使用者の投与経験を改善したことが見出された。２つの水溶性フィルムの特定の選択から作製されたそのような単位用量物品は、投与中または投与直前に時期尚早な破裂の回数の減少を示し、その結果、より厄介でない、より好都合な投与経験を提供した。
【００１８】
水溶性単位用量物品
本発明による単位用量物品は、少なくとも第１の水溶性フィルムと、第２の水溶性フィルムと、任意に単位用量物品内に含まれる組成物とを含み、第１の水溶性フィルムおよび第２の水溶性フィルムは、互いに化学的に異なる。
【００１９】
水溶性単位用量物品は、単位用量物品が水溶性フィルムによって囲まれた少なくとも１つの内部区画を含むように成形された第１の水溶性フィルムおよび第２の水溶性フィルムを含む。水溶性フィルムは、内部区画を画定するように互いに密封され、保管中に組成物が区画から漏出しないように密封される。しかしながら、例えば、水への水溶性単位用量物品の添加など、十分な水と接触すると、水溶性フィルムは溶解して、内部区画の内容物を水（例えば、洗浄液）中に放出する。
【００２０】
単位用量物品を製造する好ましい方法は、以下により詳細に説明される。
【００２１】
区画は、例えば、洗剤または他の組成物を保持するフィルムによって形成される、単位用量物品内の閉鎖した内部空間を意味するとして理解されるべきである。製造中、本発明による第１の水溶性フィルムは、洗剤または他の組成物が添加される開口区画を含むように成形されてもよい。次いで、本発明による第２の水溶性フィルムは、区画の開口部を閉鎖するような方向で第１のフィルムの上に置かれる。次いで、第１および第２のフィルムは、密封領域に一緒に密封される。
【００２２】
単位用量物品は、２つ以上の区画、さらに少なくとも２つの区画、さらに少なくとも３つの区画を含み得る。区画は、重ね合わされた方向、すなわち、一方が他方の上部に位置するように配置されてもよい。そのような方向では、単位用量物品は、上部、中間、および下部の３つのフィルムを含むことになる。好ましくは、中間フィルムは、本発明による第２の水溶性フィルムに対応し、上部および下部フィルムは、本発明による第１の水溶性フィルムに対応する。代替的には、区画は、横並びの方向、すなわち、一方が他方の隣に方向付けられて配置されてもよい。区画は、「タイヤとリム」の配置であってもよく、すなわち、第１の区画は第２の区画の隣に配置されるが、第１の区画は第２の区画を少なくとも部分的に囲むが、第２の区画は完全に囲まない。代替的には、一方の区画は、別の区画内に完全に囲まれ得る。そのような多区画の方向においては、本発明による第１の水溶性フィルムは、洗剤または他の組成物が添加される開口区画を含むように成形され得る。次いで、本発明による第２の水溶性フィルムは、区画の開口部を閉鎖するような方向で第１のフィルムの上に置かれる。
【００２３】
単位用量物品が少なくとも２つの区画を含む場合、区画のうちの１つは他の区画よりも小さくてもよい。単位用量物品が少なくとも３つの区画を備える場合、区画のうちの２つは第３の区画より小さくてもよく、好ましくはより小さな区画よりが大きな区画に重ね合わされる。重なり合った区画は、好ましくは横並びに方向付けられる。
【００２４】
多区画の方向において、本発明の組成物は、区画のうちの少なくとも１つに含まれ得る。それは、例えば、１つのみの区画に含まれてもよく、または２つの区画に、またはさらに３つの区画に含まれ得る。
【００２５】
多区画の方向において、本発明による洗剤組成物は、区画のうちの少なくとも１つに含まれ得る。それは、例えば、１つのみの区画に含まれてもよく、または２つの区画に、またはさらに３つの区画に含まれ得る。
【００２６】
各区画は、同じまたは異なる組成物を含み得る。異なる組成物は、すべて同じ形態であってもよく、または異なる形態であってもよい。
【００２７】
水溶性単位用量物品は、少なくとも２つの内部区画を含み得、液体組成物が、区画のうちの少なくとも１つに含まれ、好ましくは、単位用量物品が、少なくとも３つの区画を含み、液体組成物が、区画のうちの少なくとも１つに含まれる。
【００２８】
水溶性単位用量洗剤物品は、少なくとも２つの内部区画を含み得、液体洗濯洗剤組成物が、区画のうちの少なくとも１つに含まれ、好ましくは、単位用量物品が、少なくとも３つの区画を含み、洗剤組成物が、区画のうちの少なくとも１つに含まれる。
【００２９】
第１および第２の水溶性フィルム
【００３０】
水溶性単位用量物品は、第１の水溶性フィルムおよび第２の水溶性フィルムを含み、第１の水溶性フィルムおよび第２の水溶性フィルムは、互いに化学的に異なる。
【００３１】
本発明の文脈において、本明細書における「化学的に異なる」とは、「バージンフィルム」、すなわち、供給業者／製造業者から受け取られ、単位用量物品製造ユニットに巻き戻される前のフィルムであって、本明細書に説明される試験方法毎に、第１のフィルム組成物を第２のフィルムと区別し、少なくとも保水量に影響するフィルム組成物のうちの少なくとも１つに存在する少なくとも１つの物質を有し、これを少なくとも１つの物理的フィルム特性を第１のフィルムと第２のフィルムとの間で異なるものにする。天然の製造プロセス、すなわちバッチ間の変動に起因するフィルムの様々な化学組成物は、この発明の範囲内の化学的に異なるフィルムとはみなされない。
【００３２】
化学的に区別する物質の非限定的な例は、異なるポリマー標的樹脂およびもしくは含有量、異なる可塑剤組成およびもしくは含有量、または異なる界面活性剤およびもしくは含有量の使用を含む。フィルムの厚さのみが異なるフィルムのように、物理的性質が異なるが同じ物質含有量を有するフィルムを含む水溶性単位用量物品は、本発明の範囲外であると考えられる。コーティング層の存在対不在によってのみ区別されるフィルムから作製された単位用量物品もまた、本発明の範囲外であるとみなされる。
【００３３】
第１水溶性フィルムは、第１の伸び弾性率を有し、第２水溶性フィルムは、第２の伸び弾性率を有し、第１の伸び弾性率は、第２の伸び弾性率よりも大きく、第１の伸び弾性率と第２の伸び弾性率との間の差異は、０．５ＭＰａ〜１０ＭＰａ、好ましくは１ＭＰａ〜８ＭＰａ、より好ましくは２ＭＰａ〜７ＭＰａである。
【００３４】
「差異」とは、本明細書において、第１の伸び弾性率の値および第２の伸び弾性率の値の間の差異を意味する。「伸び弾性率」とは、本明細書において、応力が印加されたときにフィルムが伸長する能力を意味する。伸び弾性率を測定する方法は、以下により詳細に説明される。
【００３５】
好ましくは、第１の伸び弾性率は、１ＭＰａ〜２０ＭＰａ、より好ましくは３ＭＰａ〜２０ＭＰａである。
【００３６】
好ましくは、第２の伸び弾性率は、１ＭＰａ〜１５ＭＰａ、より好ましくは３ＭＰａ〜１５ＭＰａである。
【００３７】
好ましくは、第１の水溶性フィルムは、第１の引張破断歪みを有し、第２の水溶性フィルムは、第２の引張破断歪みを有し、第１の引張破断歪みは、第２の引張破断歪みよりも大きい。「引張破断歪みの差異」とは、本明細書において、第１の引張破断歪みの値および第２の引張破断歪みの値の差異を意味する。引張破断歪みを測定する方法は、以下により詳細に説明される。
【００３８】
好ましくは、第１の引張破断歪みおよび第２の引張破断歪みの間の差異は、１０％〜１０００％、好ましくは１００％〜７５０％、より好ましくは２００％〜５００％である。「引張破断歪みの差異」とは、本明細書において、第１の引張破断歪みの値および第２の引張破断歪みの値の差異を意味する。
【００３９】
好ましくは、第１の引張破断歪みは、３００％〜１６００％、より好ましくは４００％〜１２００％、最も好ましくは７００％〜１２００％である。
【００４０】
好ましくは、第２の引張破断歪みは、３００％〜１２００％、より好ましくは５００％〜１０００％である。
【００４１】
好ましくは、第１の水溶性フィルムは、単位用量物品の製造中に熱成形される。「熱成形」とは、本明細書において、例えば、赤外線ランプの下でフィルムを通過させることによってフィルムを加熱する前にフィルムを加熱することを意味し、変形ステップは、好ましくは、水溶性フィルムをキャビティに敷設し、フィルムの下の空洞の内側にある。第２の水溶性フィルムは、単位用量物品の製造中に熱成形され得る。代替的には、第２の水溶性フィルムは、単位用量物品の製造中に熱成形されていなくてもよい。好ましくは、第１の水溶性フィルムは、単位用量物品の製造中に熱成形され、第２の水溶性フィルムは、単位用量物品の製造中に熱成形されない。
【００４２】
第１の水溶性フィルム、第２の水溶性フィルム、またはそれらの混合物は独立して、単位用量物品への組み込みの前に、４０ミクロン〜１００ミクロン、好ましくは６０ミクロン〜９０ミクロン、より好ましくは７０ミクロン〜８０ミクロンの厚さを有し得る。
【００４３】
好ましくは、単位用量物品への組み込みの前の第１の水溶性フィルムと第２の水溶性フィルムとの間の厚さの差異は、５０％未満、好ましくは３０％未満、より好ましくは２０％未満、さらにより好ましくは１０％未満であるか、または厚さが等しくてもよい。
【００４４】
本発明による第１の水溶性フィルムおよび第２の水溶性フィルムは、好ましくは単層フィルムであり、より好ましくは溶液流延を介して製造される。
【００４５】
水溶性フィルムは、カールフィッシャー滴定によって測定される、少なくとも４重量％、好ましくは約４〜約１０重量％の範囲の残留水分含有量をさらに有することができる。
【００４６】
好ましくは、第１の水溶性フィルムは、第１の保水量を有し、第２の水溶性フィルムは、第２の保水量を有し、第１の保水量は、第２の保水量より少なく、第１の水溶性フィルムと第２の水溶性フィルムの保水量との間の差異は、０．０１％〜１％、好ましくは０．０３％〜０．５％、より好ましくは０．０５％〜０．３％である。「差異」とは、本明細書において、第１の保水量の値および第２の保水量の値の間の差異を意味する。「保水量」とは、本明細書において、試験されるフィルムの質量増加として測定される特定の相対湿度で一定期間にわたって水を吸収するフィルムの能力を意味する。保水量を測定する方法は、以下でより詳細に説明される。
【００４７】
好ましくは、第１の水溶性フィルムは、１％〜１０％、より好ましくは２％〜８％、最も好ましくは３％〜６％の保水量を有し、第２の水溶性フィルムは、１．５％〜１２％、好ましくは２．５％〜１０％、より好ましくは３．５％〜８％の保水量を有する。
【００４８】
好ましくは、第１の水溶性フィルムは、第１の水溶性樹脂を含み、第２の水溶性フィルムは、第２の水溶性樹脂を含む。好ましくは、第１の水溶性樹脂は、少なくとも１つのポリビニルアルコールホモポリマー、もしくは少なくとも１つのポリビニルアルコールコポリマー、またはそれらのブレンドを含み、第２の水溶性樹脂は、少なくとも１つのポリビニルアルコールホモポリマー、もしくは少なくとも１つのポリビニルアルコールコポリマー、またはそのブレンドを含む。
【００４９】
第１の水溶性樹脂は、ポリビニルアルコールホモポリマーと、アニオン性モノマー単位を含むポリビニルアルコールコポリマーとのブレンドを含み得、任意に、ブレンドは、アニオン性モノマー単位を含むポリビニルアルコールコポリマーの第１の水溶性樹脂の０重量％〜７０重量％、およびポリビニルアルコールホモポリマーの第１の水溶性樹脂の３０重量％〜約１００重量％を含む。ブレンドは、第１の水溶性樹脂の総重量に基づいて、アニオン性モノマー単位を含むポリビニルアルコールコポリマーの１０％〜７０％、または１５％〜約６５％、または２０％〜５０％、または３０％〜４０％を含み得る。別の種類の実施形態において、ブレンドは、６５重量％以上のアニオン性ポリビニルアルコールコポリマー、または６５重量％以上のアニオン性ポリビニルアルコールコポリマーを含む。
【００５０】
ポリビニルアルコールホモポリマーとは、ポリビニルアルコール単位、および任意であるが好ましくはポリ酢酸ビニル単位を含むポリビニルアルコールを意味する。ポリビニルアルコールコポリマーとは、ポリビニルアルコール単位、任意であるが好ましくはポリ酢酸ビニル単位、およびアニオン修飾ポリビニルアルコール単位を含むポリマーを意味する。
【００５１】
第２の水溶性樹脂は、ポリビニルアルコールホモポリマーとアニオン性モノマー単位を含むポリビニルアルコールコポリマーとのブレンドを含み得、任意に、ブレンドは、フィルム中の第２の水溶性樹脂の総重量に基づいて、アニオン性モノマー単位を含むポリビニルアルコールコポリマーを０％〜７０％、ポリビニルアルコールホモポリマーを３０％〜１００％含む。ブレンドは、フィルム中の第２の水溶性樹脂の総重量に基づいて、アニオン性モノマー単位を含むポリビニルアルコールコポリマーの１０％〜７０％、または１５％〜６５％、または２０％〜５０％、または３０％〜４０％を含み得る。別の種類の実施形態において、ブレンドは、６５重量％以上のアニオン性ポリビニルアルコールコポリマー、または６５重量％以上のアニオン性ポリビニルアルコールコポリマーを含む。
【００５２】
第１の樹脂のポリビニルアルコールコポリマー、第２の樹脂のポリビニルアルコールコポリマー、またはそれらの混合物中に存在するアニオン性モノマー単位は独立して、ビニル酢酸、アルキルアクリレート、マレイン酸、マレイン酸モノアルキル、マレイン酸ジアルキル、マレイン酸モノメチル、マレイン酸ジメチル、無水マイレン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、それらのアルカリ金属塩、それらのエステル、およびそれらの組み合わせに由来するアニオン性モノマーからなる群から選択され、好ましくは、アニオン性モノマー単位が、マレイン酸、マレイン酸モノアルキル、マレイン酸ジアルキル、無水マレイン酸、それらのアルカリ金属塩、それらのエステル、およびそれらの組み合わせに由来する１５個のアニオン性モノマーからなる群から選択され、より好ましくは、アニオン性モノマー単位が、マレイン酸、マレイン酸モノメチル、マレイン酸ジメチル、無水マレイン酸、それらのアルカリ金属塩、それらのエステル、およびそれらの組み合わせに由来するアニオン性モノマーからなる群から選択され得る。
【００５３】
好ましくは、第１および第２のポリビニルアルコールコポリマーは独立して、存在する前ポリビニルアルコールコポリマーに関して、１モル％〜８モル％、より好ましくは２モル％〜５モル％、最も好ましくは３モル％〜４モル％のアニオン性モノマー単位を含む。
【００５４】
好ましくは、第１のポリビニルアルコールホモポリマーおよび第２のポリビニルアルコールホモポリマーおよび第１のポリビニルアルコールコポリマーおよび第２のポリビニルアルコールコポリマーは独立して、８０％〜９９％、好ましくは８５％〜９５％、より好ましくは８６％〜９３％の加水分解の程度を有する。
【００５５】
好ましくは、第１のポリビニルアルコールホモポリマーおよび第２のポリビニルアルコールホモポリマーおよび第１のポリビニルアルコールコポリマーおよび第２のポリビニルアルコールコポリマーは独立して、４ｃＰ〜４０ｃＰ、好ましくは１０ｃＰ〜３０ｃＰ、より好ましくは１２ｃＰ〜２５ｃＰの範囲で、２５℃での脱塩水中で４％溶液粘度を有する。
【００５６】
好ましくは、第１の水溶性フィルムおよび第２の水溶性フィルムは独立して、フィルムの３０重量％〜９０重量％、より好ましくは４０重量％〜８０重量％、さらにより好ましくは５０重量％〜７５重量％、最も好ましくは６０重量％〜７０重量％の水溶性樹脂含量を有する。
【００５７】
第１のポリビニルアルコールホモポリマーおよび第２のポリビニルアルコールホモポリマーおよび第１のポリビニルアルコールコポリマーおよび第２のポリビニルアルコールコポリマーに加えて、使用のための他の水溶性ポリマーは、これらに限定されないが、ビニルアルコール−ビニルアセテートコポリマー（時に、ＰＶＯＨホモポリマーと称される）、ポリアクリレート、水溶性アクリレートコポリマー、ポリビニルピロリドン、ポリエチレンイミン、プルラン、これらに限定されないが、グアーガム、アカシアガム、キサンタンガム、カラギーナン、およびデンプンを含む水溶性天然ポリマー、これらに限定されないが、加工デンプン、エトキシル化デンプン、およびヒドロキシプロピル化デンプンを含む水溶性ポリマー誘導体、上記のコポリマー、ならびに上記のうちの任意の組み合わせを含み得る。さらに他の水溶性ポリマーとしては、ポリアルキレンオキシド、ポリアクリルアミド、ポリアクリル酸、およびそれらの塩、セルロース、セルロースエーテル、セルロースエステル、セルロースアミド、ポリビニルアセテート、ポリカルボン酸、およびそれらの塩、ポリアミノ酸、ポリアミド、ゼラチン、メチルセルロース、カルボキシメチルセルロース、およびそれらの塩、デキストリン、エチルセルロース、ヒドロキシエチルセルロース、ヒドロキシプロピルメチルセルロース、マルトデキストリン、ポリメタクリレート、および上記のうちの任意の組み合わせが挙げられる。このような水溶性ポリマーは、ＰＶＯＨか否かにかかわらず、様々な供給業者から市販されている。
【００５８】
好ましくは、水溶性単位用量物品は、以下に説明される単位用量物品用量物品機械洗浄溶解試験方法に従って、６．２未満、好ましくは６未満、より好ましくは５．８未満の溶解プロフィールを示す。
【００５９】
第１およびまたは第２のフィルムは独立して、不透明、透明または半透明であり得る。第１およびまたは第２のフィルムは独立して、印刷された領域を含み得る。印刷された領域は、フィルムの表面の１０〜８０％、または区画の内部空間と接触しているフィルムの表面の１０〜８０％、またはフィルムの表面の１０〜８０％、および区画の表面の１０〜８０％を覆い得る。
【００６０】
印刷領域は、フィルムの中断されていない部分を覆っていてもよく、またはその部分を覆っていてもよく、すなわち、より小さい印刷領域を含み、その合計は、フィルムの表面または接触したフィルムの表面の１０〜８０％区画の内部空間またはその両方を有する。
【００６１】
印刷の領域は、インク、顔料、染料、青色剤、またはこれらの混合物を含み得る。印刷領域は、不透明、半透明または透明であり得る。印刷領域は、単一色を含むことができ、または複数色、さらには３色を含み得る。印刷領域は、白色、黒色、青色、赤色、またはそれらの混合物を含み得る。印刷は、フィルムの表面上の層として存在してもよく、フィルムに少なくとも部分的に浸透してもよい。フィルムは、第１の面および第２の面を含む。印刷領域は、フィルムのいずれかの面に存在してもよく、またはフィルムの両方の面に存在してもよい。代替的には、印刷領域は、フィルム自体の内部に少なくとも部分的に含まれていてもよい。
【００６２】
印刷の領域は、フレキソ印刷またはインクジェット印刷のような、標準的な技術を使用して達成され得る。好ましくは、印刷領域は、フィルムが印刷された後、開口区画の形状に成形されるフレキソ印刷によって達成される。次いで、この区画は、洗剤または非洗剤組成物で満たされ、第２のフィルムは、区画の上に配置され、第１のフィルムに密封される。印刷の領域は、フィルムの片面または両面上にあり得る。
【００６３】
代替的には、フィルムの全部または少なくとも一部が着色されるように、フィルムの製造中にインクまたは顔料を添加してもよい。
【００６４】
第１およびまたは第２のフィルムは独立して、嫌悪剤、例えば苦味剤を含んでもよい。好適な苦味剤としては、ナリンギン、スクロースオクタアセテート、塩酸キニン、安息香酸デナトニウム、またはそれらの混合物が挙げられるが、これらに限定されない。任意の好適なレベルの忌避剤をフィルムに使用することができる。好適なレベルは、これらに限定されないが、１〜５０００ｐｐｍ、またはさらには１００〜２５００ｐｐｍ、またはさらには２５０〜２０００ｐｐｍを含む。
【００６５】
第１およびまたは第２のフィルムはまた、これらに限定されないが、可塑剤、可塑剤相溶化剤、界面活性剤、潤滑剤、剥離剤、充填剤、増量剤、架橋剤、ブロッキング防止剤、抗酸化剤、脱粘着剤、消泡剤、層状シリケート型ナノクレイ（例えば、ナトリウムモンモリロナイト）のようなナノ粒子、漂白剤（例えば、二亜硫酸ナトリウム、亜硫酸水素ナトリウム、等）、苦味剤（例えば、安息香酸デナトニウム、デナトニウムサッカライド、および塩化デナトニウムのようなデナトニウム塩、オクタアセチルスクロース、キニーネ、ケルセチンおよびナリンゲンのようなフラボノイド、ならびにクアシンおよびブルシンのようなクアシノイド）、ならびに辛味（例えば、カプサイシン、ピペリン、イソチオシアン酸アリル、およびレシンフェラトキシン）のような嫌悪剤、ならびに他の機能的成分などの当業者によって典型的には既知である他の副成分を、これらの意図される目的に適した量で含み得る。可塑剤を含む実施形態が好ましい。このような薬剤の量は、個別または集合的に、最大約５０重量％、２０重量％、１５重量％、１０重量％、５重量％、４重量％、および／または少なくとも０．０１重量％、０．１重量％、１重量％、もしくは５重量％であり得る。
【００６６】
可塑剤としては、これらに限定されないが、グリセリン、ジグリセリン、ソルビトール、エチレングリコール、ジエチレングリコール、トリエチレングリコール、ジプロピレングリコール、テトラエチレングリコール、プロピレングリコール、最大４００ＭＷのポリエチレングリコール、ネオペンチルグリコール、トリメチロールプロパン、ポリエーテルポリオール、ソルビトール、２−メチル−１，３−プロパンジオール（ＭＰＤｉｏｌ（登録商標））、エタノールアミン、およびこれらの混合物を挙げることができる。好ましい可塑剤は、グリセリン、ソルビトール、トリエチレングリコール、プロピレングリコール、ジプロピレングリコール、２−メチル−１，３−プロパンジオール、トリメチロールプロパン、またはこれらの組み合わせである。可塑剤の合計量は、合計フィルム重量に基づき、約１０重量％〜約４５重量％、または１５重量％〜約３５重量％、または約２０重量％〜約３０重量％、または約２０重量％〜約４５重量％の範囲、例えば、約２５重量％であり得る。実施形態において、水溶性フィルム中の可塑剤の量は、水溶性フィルム中の全水溶性ポリマー（ＰＨＲ）１００部当たりの部分で表され、例えば少なくとも３０ＰＨＲ、または少なくとも３５ＰＨＲで存在する。可塑剤の総量は、例えば、最大４０ＰＨＲまたは４５ＰＨＲまたは５０ＰＨＲであり得る。可塑剤の総量は、例えば、３０〜５０ＰＨＲ、約３２．５ＰＨ〜約４２．５ＰＨＲ、または３５〜４５ＰＨＲ、または３５〜４０ＰＨＲの範囲内、または３０ＰＨＲ超および４５ＰＨＲ未満、または４０ＰＨＲ〜５０ＰＨＲであり得る。可塑剤の総量は、３４または３７．５ＰＨＲであり得る。
【００６７】
水溶性フィルムに使用するための界面活性剤は当該技術分野において周知である。任意に、界面活性剤は、流延時の樹脂溶液の分散を助けるために含まれる。好適な界面活性剤としては、非イオン性、カチオン性、アニオン性、および双性イオン性クラスが挙げられ得る。好適な界面活性剤としては、これらに限定されないが、ポリオキシエチレン化ポリオキシプロピレングリコール、アルコールエトキシレート、アルキルフェノールエトキシレート、三級アセチレングリコール、およびアルカノールアミド（非イオン性）、ポリオキシエチレン化アミン、四級アンモニウム塩および四級化ポリオキシエチレン化アミン（カチオン性）、ならびにアミンオキシド、Ｎ−アルキルベタイン、およびスルホベタイン（双性イオン性）が挙げられる。他の好適な界面活性剤としては、スルホコハク酸ジオクチルナトリウム、グリセロールおよびプロピレングリコールのラクチル化脂肪酸エステル、脂肪酸のラクチルエステル、アルキル硫酸ナトリウム、ポリソルベート２０、ポリソルベート６０、ポリソルベート６５、ポリソルベート８０、レシチン、グリセロールおよびプロピレングリコールのアセチル化脂肪酸エステル、ならびに脂肪酸のアセチル化エステル、ならびにこれらの組み合わせが挙げられる。実施形態において、界面活性剤は、ポリオキシエチレン化ポリオキシプロピレングリコール、アルコールエトキシレート、アルキルフェノールエトキシレート、第３級アセチレングリコールおよびアルカノールアミド、ポリオキシエチレン化アミン、第４級アンモニウム塩および４級化ポリオキシエチレン化アミンおよびアミンオキシド、Ｎ−アルキルベタイン、スルホベタインそれらの組み合わせからなる群から選択される。
【００６８】
様々な実施形態において、水溶性フィルム中の界面活性剤の量は、約０．１重量％〜約８．０重量％、または約１．０重量％〜約７．０重量％、または約３重量％〜約７重量％、または約５重量％〜約７重量％の量で存在する。実施形態において、水溶性フィルム中の界面活性剤の量は、水溶性フィルム中の総水溶性ポリマー（ｐｈｒ）１００部当たりの部数で表され、約０．５ｐｈｒ〜約１２ｐｈｒの範囲で、約１．０約〜１１．０ｐｈｒ、約３．０ｐｈｒ〜約１０．５ｐｈｒ、または約１．０ｐｈｒ〜約２．０ｐｈｒの量で存在する。
【００６９】
好適な潤滑剤／離型剤には、脂肪酸およびその塩、脂肪アルコール、脂肪エステル、脂肪アミン、脂肪アミンアセテート、ならびに脂肪アミドが含まれ得るが、これらに限定されない。好ましい潤滑剤／離型剤は、脂肪酸、脂肪酸塩、および脂肪アミンアセテートである。ある種類の実施形態において、水溶性フィルム中の潤滑剤／離型剤の量は、約０．０２重量％〜約１．５重量％、任意で約０．１重量％〜約１重量％の範囲である。
【００７０】
好適な充填剤／増量剤／粘着防止剤／脱粘着剤としては、これらに限定されないが、デンプン、加工デンプン、架橋ポリビニルピロリドン、架橋セルロース、微結晶性セルロース、シリカ、金属酸化物、炭酸カルシウム、タルク、雲母、ステアリン酸、およびそれらの金属塩、例えば、ステアリン酸マグネシウムが挙げられる。好ましい物質は、デンプン、加工デンプン、およびシリカである。ある種類の実施形態において、水溶性フィルム中の充填剤／増量剤／粘着防止剤／脱粘着剤の量は、例えば、約１重量％〜約６重量％、または約１重量％〜約４重量％、または約２重量％〜約４重量％、または約１ＰＨＲ〜約６ＰＨＲ、または約１ＰＨＲ〜約４ＰＨＲ、または約２ＰＨＲ〜約４ＰＨＲの範囲であり得る。
【００７１】
粘着防止剤（例えばＳｉＯ2および／またはステアリン酸））は、本フィルム中に少なくとも０．１ＰＨＲ、もしくは少なくとも０．５ＰＨＲ、もしくは少なくとも１ＰＨＲ、または約０．１〜５．０ＰＨＲ、もしくは約０．１〜約３．０ＰＨＲ、もしくは約０．４〜１．０ＰＨＲ、もしくは約０．５〜約０．９ＰＨＲ、もしくは約０．５〜約２ＰＨＲ、もしくは約０．５〜約１．５ＰＨＲ、もしくは０．１〜１．２ＰＨＲ、もしくは０．１〜２．７ＰＨＲの範囲、例えば０．５ＰＨＲ、０．６ＰＨＲ、０．７ＰＨＲ、０．８ＰＨＲ、または０．９ＰＨＲの量で存在し得る。
【００７２】
粘着防止に好適なメジアン粒径としては、約３、または約４ミクロン〜約１１ミクロン、もしくは約４〜約８ミクロン、もしくは約５〜約６ミクロンの範囲、例えば５、６、７、８、または８ミクロンのメジアン径が挙げられる。好適なＳｉＯ2は、水性系で使用するために設計された未処理の合成非結晶質シリカである。
【００７３】
洗剤組成物
【００７４】
洗剤組成物は、自由流動性粉末、液体、圧縮固体、ゲルまたはそれらの混合物の形態であり得る。
【００７５】
洗剤組成物は、自由流動性粉末の形態であり得る。そのような自由流動性粉末は、１００ミクロンと１５００ミクロンの間、好ましくは１００ミクロンと１０００ミクロンとの間、より好ましくは１００ミクロンと７５０ミクロンとの間の平均粒径を有することができる。当業者は、粒度を測定するための標準的技術を認識しているであろう。洗剤組成物は、自由流動洗濯洗剤組成物であってもよい。
【００７６】
洗剤組成物は液体であってもよい。本発明の液体洗剤組成物に関して、用語「液体」は、分散液、ゲル、ペーストなどの形態を包含する。液体組成物はまた、好適に細分された形態のガスを含むことができる。しかしながら、液体組成物は、錠剤または顆粒のような全体的に非液体である形態を除外する。
【００７７】
洗剤組成物は、液体洗濯洗剤組成物であってもよい。「液体洗濯洗剤組成物」という用語は、家庭用洗濯機で布地を濡らして処理することができる２０個の液体を含む任意の洗濯洗剤組成物を指す。
【００７８】
洗濯洗剤組成物は、主洗浄プロセス中に使用されるが、前処理組成物または浸漬組成物としても使用され得る。
【００７９】
洗濯洗剤組成物は、布地洗剤、布地柔軟剤、２ｉｎ１洗剤および軟化剤、前処理組成物などを含む。
【００８０】
洗濯洗剤組成物は、漂白剤、漂白触媒、染料、色相染料、光沢剤、アルコキシル化ポリアミンおよびポリエチレンイミンを含む洗浄ポリマー、汚れ放出ポリマー、界面活性剤、溶媒、染料移動阻害剤、キレート剤、ビルダー、酵素、香料、封入香料、ポリカルボキシレート、レオロジー変性剤、構造化剤、ヒドロトロープ、顔料および染料、乳白剤、防腐剤、酸化防止剤、加工助剤、カチオンポリマーを含むコンディショニングポリマー、抗菌剤、水酸化物およびアルカノールアミンのようなｐＨトリミング剤、起泡抑制剤、ならびにそれらの混合物から選択される成分を含み得る。
【００８１】
界面活性剤は、アニオン性、カチオン性、両性イオン性、非イオン性、両性、またはそれらの混合物から選択することができる。好ましくは、布地ケア組成物は、アニオン性、非イオン性、またはそれらの混合物を含む。
【００８２】
アニオン性界面活性剤は、直鎖アルキルベンゼンスルホネート、アルキルエトキシレートサルフェート、およびこれらの組み合わせから選択され得る。
【００８３】
本明細書において有用である好適なアニオン性界面活性剤は、液体洗剤製品に典型的に使用される任意の従来のアニオン性界面活性剤の種類を含み得る。これらは、アルキルベンゼンスルホン酸およびその塩、ならびにアルコキシル化または非アルコキシル化アルキル硫酸塩材料を含む。非イオン性界面活性剤は、脂肪アルコールアルコキシレート、オキソ−１０合成脂肪アルコールアルコキシレート、ゲルベアルコールアルコキシレート、アルキルフェノールアルコールアルコキシレート、またはそれらの混合物から選択され得る。本明細書で使用するのに適した非イオン性界面活性剤は、アルコールアルコキシレート非イオン性界面活性剤を含む。アルコールアルコキシレートは、一般式、R1(CmH2mO)nOHに対応する物質であり、式中、Ｒ1は、C8-C16アルキル基であり、ｍは、２〜４であり、ｎは、約２〜１２の範囲である。一態様において、Ｒ1は、約９〜１５個の炭素原子または約１０〜１４個の炭素原子を含む、第１級または第２級アルキル基である。
【００８４】
一態様において、アルコキシル化脂肪アルコールはまた、分子当たり約２〜１２個のエチレンオキシド部分、または分子当たり約３〜１０個のエチレンオキシド部分を平均して含むエトキシル化物質である。
【００８５】
本洗濯洗剤組成物に用いられるシェーディング染料は、ポリマー性または非ポリマー性の染料、顔料、またはそれらの混合物を含み得る。好ましくは、遮光染料は、発色団成分およびポリマー成分を含むポリマー染料を含む。発色団成分は、光に露光されると、青色、赤色、紫色、紫色、またはそれらの組み合わせの波長範囲の光を吸収することを特徴とする。一態様において、発色団成分は、水および／またはメタノール中で約５２０ナノメートル〜約６４０ナノメートルの吸光度スペクトル最大値を示し、別の態様では、水および／またはメタノール中約５６０ナノメートル〜約６１０ナノメートルの吸光度スペクトル最大値を示す。
【００８６】
任意の発色団が使用され得るが、染料発色団は、好ましくは、ベンゾジフラン、メチン、トリフェニルメタン、ナフタルイミド、ピラゾール、ナフトキノン、アントラキノン、アゾ、オキサジン、アジン、キサンテン、トリフェノジオキサジン、およびフタロシアニン染料発色団から選択される。モノおよびジアゾ染料発色団が好ましい。
【００８７】
染料は、有機合成経路の直接の結果である未精製混合物の形態で洗剤組成物に導入されてもよい。したがって、染料ポリマーに加えて、少量の未反応出発物質、副反応の生成物、および任意の重合ステップから生じると予想されるような反復単位の異なる鎖長を含む染料ポリマーの混合物もまた存在してもよい。
【００８８】
洗濯洗剤組成物は、洗浄性能および／または布地ケア利益を提供する１つ以上の洗剤酵素を含み得る。好適な酵素の例としては、これらに限定されないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、およびアミラーゼ、またはそれらの混合物が挙げられる。典型的な組み合わせは、プロテアーゼ、リパーゼ、クチナーゼおよび／またはセルラーゼのような従来の適用可能な酵素のアミラーゼと関連するカクテルである。
【００８９】
本発明の洗濯用洗剤組成物は、１つ以上の漂白剤を含み得る。漂白触媒以外の好適な漂白剤としては、光漂白剤、漂白活性化剤、過酸化水素、過酸化水素源、予め形成された過酸、およびそれらの混合物が挙げられる。
【００９０】
洗剤組成物は、光沢剤を含み得る。好適な光沢剤は、光沢剤１５のようなスチルベンである。他の好適な増白剤は、疎水性増白剤、および増白剤４９である。光沢剤は、３〜３０マイクロメートル、または３マイクロメートル〜２０マイクロメートル、または３〜１０マイクロメートルの範囲の重量平均粒径を有する微粉化した粒状形態であってもよい。光沢剤は、アルファまたはベータ結晶形態であり得る。
【００９１】
本明細書の洗剤組成物はまた、任意に、１つ以上の銅、鉄および／またはマンガンキレート剤を含み得る。キレート剤は、１−ヒドロキシエタンジホスホン酸（ＨＥＤＰ）およびその塩、Ｎ，Ｎ−ジカルボキシメチル−２−アミノペンタン−１，５−二酸およびその塩、２−ホスホノブタン−１，２，４−トリカルボン酸およびその塩、ならびにそれらの任意の組み合わせを含み得る。
【００９２】
本発明の組成物はまた、１つ以上の色素移動阻害剤を含むことができる。好適なポリマー色素移動阻害剤は、これらに限定されないが、ポリビニルピロリドンポリマー、ポリアミンＮ−オキシドポリマー、Ｎ−ビニルピロリドンとＮ−ビニルイミダゾールのコポリマー、ポリビニルオキサゾリドンおよびポリビニルイミダゾール、またはそれらの混合物を含む。
【００９３】
洗濯洗剤組成物は、１つ以上のポリマーを含み得る。好適なポリマーとしては、カルボキシレートポリマー、ポリエチレングリコールポリマー、テレフタレートポリマー、アミンポリマー、セルロースポリマー、染料移動阻害ポリマーなどのポリエステル汚れ放出ポリマー、イミダゾールおよびエピクロロヒドリンの任意に１：４：１の比での縮合によって生成された縮合オリゴマーなどの染料ロックポリマー、ヘキサメチレンジアミン誘導体ポリマー、ならびにそれらの任意の組み合わせが挙げられる。
【００９４】
他の好適なセルロース系ポリマーは、ＤＳ＋ＤＢが少なくとも１．００であるかＤＢ＋２ＤＳ−ＤＳ2が少なくとも１．２０であるような程度のブロック度（ＤＢ）、０．０１〜０．９９の置換度（ＤＳ）を有してもよい。置換セルロース系ポリマーは、少なくとも０．５５の置換度（ＤＳ）を有することができる。置換セルロース系ポリマーは、少なくとも０．３５の程度のブロック性（ＤＢ）を有することができる。置換セルロース系ポリマーは、１．０５〜２．００のＤＳ＋ＤＢを有することができる。好適な置換セルロースポリマーは、カルボキシメチルセルロースである。
【００９５】
別の好適なセルロース系ポリマーは、カチオン修飾ヒドロキシエチルセルロースである。好適な香料としては、香料マイクロカプセル、シッフ塩基香料／ポリマー複合体を含むポリマー補助香料送達システム、デンプンカプセル化香料アコード、香料充填ゼオライト、ブルーミング香料アコード、およびそれらの任意の組み合わせが挙げられる。好適な香料マイクロカプセルは、メラミンホルムアルデヒドをベースとし、典型的にはメラミンホルムアルデヒドを含むシェルによってカプセル化された香料を含む。そのような香料マイクロカプセルには、ポリビニルホルムアミド（ＰＶＦ）および／またはカチオン変性ヒドロキシエチルセルロース（ｃａｔＨＥＣ）のようなシェル中にカチオンおよび／またはカチオン前駆物質を含むことが非常に好適であり得る。
【００９６】
好適な泡抑制剤は、シリコーンおよび／またはステアリン酸などの脂肪酸を含む。
【００９７】
洗濯用洗剤組成物は着色されていてもよい。液体洗濯洗剤組成物の色は、物品のフィルム上の任意の印刷された領域と同じであっても異なっていてもよい。単位用量物品の各区画は、異なる色を有してもよい。好ましくは、液体洗濯洗剤組成物は、少なくとも１６の平均アルコキシル化度を有する非実質的な染料を含む。
【００９８】
他の組成物
【００９９】
単位用量物品内で使用するための組成物は、非洗剤組成物および／または非家庭用ケア組成物であってもよい。布地または家庭用ケア組成物は、布地処理、硬質表面、エアーケア、カーケア、食器洗い、布地コンディショニングおよび軟化、洗濯洗剤、洗濯およびすすぎ添加剤および／またはケア、硬質表面洗浄および／または処理、ならびに消費者または業務用の使用のための他の洗浄を含む。非家庭用ケア組成物は、他の使用のためのものである。例えば、非家庭用ケア組成物は、農業用組成物、自動車用組成物、航空用組成物、食品および栄養組成物、工業用組成物、家畜用組成物、海洋用組成物、医療用組成物、商業用組成物、軍事および準軍事用組成物、オフィス組成物、レクリエーション用および公園用組成物、ペット組成物、布地および家庭用ケア組成物を除くが任意のそのような用途に適用可能な洗浄組成物および洗剤組成物を含む水処理用組成物から選択され得る。
【０１００】
ある種類の実施形態は、本明細書に説明されるように、布地ケア組成物または家庭用ケア組成物を含む密封区画、ポリビニルアルコールホモポリマーとアニオン性ポリビニルアルコールコポリマーとのブレンドを含むフィルムを有する物品を含み、第１の水溶性フィルムおよび第２の水溶性フィルムの両方は、６５重量％以上のアニオン性ポリビニルアルコールコポリマーを含むブレンドを含む。
【０１０１】
別の種類の実施形態は、布地ケア組成物または家庭用ケア組成物を含有する密閉区画、少なくとも２つのアニオン性ポリビニルアルコールコポリマーのブレンドを含むフィルムを含み、第１の水溶性フィルムおよび第２の水溶性フィルムの両方は、少なくとも２つのアニオン性ポリビニルアルコールコポリマーのブレンドを含む。
【０１０２】
ある種類の実施形態において、組成物は、農薬、例えば１つ以上の殺虫剤、殺菌剤、除草剤、殺虫剤、殺ダニ剤、忌避剤、誘引剤、葉枯病剤、植物成長調節剤、肥料、殺菌剤、微量栄養素、および微量元素を含み得る。好適な農薬および二次薬剤は、米国特許第６，２０４，２２３号および第４，６８１，２２８号ならびに欧州特許第０９８９８０３Ａ１号に記載されている。例えば、好適な除草剤は、パラコート塩（例えば、パラコートジクロライドまたはパラコートビス（メチルサルフェート）、ジクワット塩（例えば、ジクワットジブロミドまたはジクワットアルギン酸塩）、およびグリフォセートまたはその塩またはエステル（例えば、グリホセートイソプロピルアンモニウム、グリホセートセスキナトリウムまたはグリホサートトリメシウム、またスルホセートとしても既知である）。不適合な対の作物保護化学物質は、例えば米国特許第５，５５８，２２８号に記載されているように、別々のチャンバで使用され得る。使用され得る不適合な対の作物保護化学物質は、例えば、ベンシュフルロンメチルおよびモリネート；２，４−Ｄおよびチフェンスルフロンメチル；２，４−Ｄおよびメチル２−［［［［Ｎ−４−メトキシ−６−メチル−１，３，５−トリアジン−２−イル］−Ｎ−メチルアミノ］カルボニル］アミノ］−スルホニル］ベンゾエート；２，４−Ｄおよびメトスルフロンメチル；ｍａｎｅｂまたはｍａｎｃｏｚｅｂおよびベノミル；グリホサートおよびメトスルフロンメチル；トリロメスリンおよび任意の有機リン酸塩、例えばモノクロトホスまたはジメトエート；ブロモキシニルおよびＮ−［［４，６−ジメトキシピリミジン−２−イル］−アミノ］カルボニル］−３−（エチルスルホニル）−２−ピリジン−スルホンアミド；ブロモキシニルおよびメチル２−［［［［（４−メチル−６−メトキシ）−１，３，５−トリアジン−２−イル）アミノ］カルボニル］アミノ］スルホニル］−ベンゾエート；ブロモキシニルおよびメチル２−［［［［Ｎ−（４−メトキシ−６−メチル−１，３，５−トリアジン−２−イル）−Ｎ−メチルアミノ］カルボニル］アミノ］−スルホニル］ベンゾエートを含む。別の、関連する種類の実施形態において、組成物は、任意に土壌と一緒に、さらに任意に、例えば米国特許第８，３３３，０３３号に記載されている実施形態の種類を含む、マルチ、砂、ピートモス、ウォータージェリー結晶、および肥料から選択される１つ以上の追加の構成要素と一緒に１つ以上の種子を含み得る。
【０１０３】
別のタイプの実施形態では、組成物は水処理剤である。そのような薬剤は、例えば米国特許出願公開第２０１４／０１１０３０１号および米国特許第８，７２８，５９３号に記載されているような積極的な酸化化学物質を含む。例えば、殺菌剤は、次亜塩素酸ナトリウム、次亜塩素酸カルシウム、次亜塩素酸リチウムなどの次亜塩素酸塩；ジクロロイソシアヌル酸（「ジクロル」またはジクロロ−ｓ−トリアジントリオン、１，３−ジクロロ−１，３，５−トリアジナン−２，４，６−トリオンとも称される）およびトリクロロイソシアヌル酸（「トリクロル」または１，３，５−トリクロロ−１，３，５−トリアジナン−２，４，６−トリオンとも称される）などの塩素化イソシアヌレートを含み得る。殺菌性化合物の塩および水和物もまた意図される。例えば、ジクロロイソシアヌル酸は、とりわけ、ジクロロイソシアヌレート酸ナトリウム、ジクロロイソシアヌレート酸二水和物として提供され得る。臭素含有浄化剤はまた、１，３−ジブロモ−５，５−ジメチルヒダントイン（ＤＢＤＭＨ）、２，２−ジブロモ−３−ニトリロプロピオンアミド（ＤＢＮＰＡ）、ジブロモシアノ酢酸アミド、１−ブロモ−３−クロロ−５，５−ジメチルヒダントイン、および２−ブロモ−２−ニトロ−１，３−プロパンジオールなどが挙げられる。酸化剤は、米国特許第７，４７６，３２５号に記載されているもの、例えば水素ペルオキシモノ硫酸カリウムであり得る。組成物は、例えば、米国特許出願公開第２００８／０１８５３４７号に記載されているようなｐＨ調整化学物質であってもよく、例えば、組成物が、水と接触したときに発泡性であり、水のｐＨを調製するように酸性構成成分およびアルカリ構成成分を含み得る。好適な成分としては、重炭酸ナトリウム、重硫酸ナトリウム、水酸化カリウム、スルファミン酸、有機カルボン酸、スルホン酸、およびリン酸二水素カリウムが挙げられる。緩衝剤のブレンドは、例えば、ホウ酸、炭酸ナトリウム、グリコール酸、およびオキソンモノ過硫酸塩を含み得る。
【０１０４】
水処理剤は、例えば、米国特許出願公開第２０１４／０１２４４５４号に記載されているような凝集剤であり得、またはそれを含み得る。凝集剤としては、ポリマー凝集剤、例えば、ポリアクリルアミド、ジアリルジメチルアンモニウムクロリド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロライド（ＭＡＰＴＡＣ）、もしくはアクリル酸のアクリルアミドコポリマーなどのポリアクリルアミドコポリマー；カチオン性ポリアクリルアミド；アニオン性ポリアクリルアミド；中性ポリアクリルアミド；ポリアミン；ポリビニルアミン；ポリエチレンイミン；ポリジメチルジアリルアンモニウムクロライド；ポリオキシエチレン；ポリビニルアルコール；ポリビニルピロリドン；ポリアクリル酸；ポリリン酸；ポリスチレンスルホン酸；またはそれらの任意の組み合わせが挙げられる。凝集剤は、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサン、およびそれらの組み合わせから選択され得る。水処理用組成物は、リン酸塩除去物質、例えば、ジルコニウム化合物、希土類ランタニド塩、アルミニウム化合物、鉄化合物、またはそれらの任意の組み合わせから選択される１つ以上を含み得る。
【０１０５】
組成物は、例えば、米国特許出願第２００６／０１７２９１０号に記載されているように、石灰スケール除去組成物、例えば、クエン酸もしくはマレイン酸またはその硫酸塩、もしくはそれらの任意の混合物であり得る。
【０１０６】
様々な他の種類の組成物は、本明細書に説明される単位用量物品における使用のために考慮され、これらには、粒子、例えば、例としてＵＳ  ＲＥ２９０５９  Ｅに記載されているような羽毛；例えば米国特許出願公開第２００４／０１４４６８２号および第２００６／０１７３４３０号に記載されているような超吸収性ポリマー；例えば米国特許第３，５８０，３９０号および米国特許出願公開第２０１１／００５４１１１号に記載されているような顔料ならびに染み剤；例えば米国特許第８，１６３，１０４号に記載されているようなろう付け用フラックス（例えば、アルカリ金属フルオロアルミネート、アルカリ金属フルオロシリケート、およびアルカリ金属フルオロ亜鉛酸塩）；米国特許出願公開第２００７／０００３７１９号に記載されているような食品（例えば、コーヒー粉末または乾燥スープ）；ならびに例えば米国特許第４，４６６，４３１号に記載されているような創傷被覆材が挙げられる。
【０１０７】
単位用量物品の少なくとも１つの区画は、固体を含み得る。存在する場合、固体は、単位用量物品の少なくとも５重量％の濃度で存在してもよい。
単位用量物品の製造方法
【０１０８】
当業者は、本発明の洗剤および非洗剤組成物を製造するためのプロセスを認識しているであろう。当業者は、洗剤および他の組成物を製造するための標準的なプロセスならびに装置を認識しているであろう。
【０１０９】
当業者は、本発明の任意の態様による単位用量物品を製造するための標準的な技術を認識しているであろう。これらに限定されないが、熱成形および真空成形技術を含む標準的な成形プロセスは、使用され得る。
【０１１０】
本発明による水溶性単位用量物品を製造する好ましい方法は、第１の水溶性フィルムを型内で成形して開口空洞を形成するステップと、空洞を洗剤または非洗剤組成物で満たすステップと、第２のフィルムを第１のフィルム上に置いて空洞を閉鎖するステップと、好ましくは水を含む溶媒の溶媒密封を通して第１および第２のフィルムを一緒に密封して水溶性単位用量物品を製造するステップとを含む。
【０１１１】
本明細書に記載されるすべての範囲は、すべての可能なサブセットの範囲およびそのようなサブセットの範囲の任意の組み合わせを含む。デフォルトでは、範囲は、特に記載しない限り、記載される終了点を含む。値の範囲が提供されている場合、その範囲の上限と下限との間の各々の間の値、およびその記載される範囲内の任意の他の記載される値または間にある値は、本開示内に包含されることが理解される。これらのより小さな範囲の上限および下限は独立して、そのより小さな範囲内に含まれ得、また、記載される範囲内の任意の具体的に除外される限界値に従って、本開示内に包含される。記載される範囲が限界値のうちの１つまたは両方を含む場合、これらの含まれる限界値のいずれかまたは両方を除く範囲もまた、本開示の一部であることが考慮される。
【０１１２】
例えば、記載される目的物のパラメータまたは記載される目的物に関連付けられた範囲の一部として、本明細書に記載される任意の数値の場合、説明の一部を形成する代替物は、特定の数値を取り囲む機能的に同等の範囲であることが明示的に考慮される（例えば、「４０ｍｍ」として開示された寸法について、企図される別の実施形態は「約４０ｍｍ」である）。
【０１１３】
試験プロトコル
単位用量物品機械洗浄溶解試験方法
この方法は、応力を受けた洗濯機条件下で洗濯用水溶性単位用量物品の相対溶解特性を評価するために設計されている。この方法のためにＥｌｅｃｔｒｏｌｕｘ
【０１１４】
プログラマブル洗濯機タイプＷ５６５Ｈ、調整されたＥＭＰＡ２２１充填物（ＥＭＰＡ２２１ソース：Ｓｗｉｓｓａｔｅｓｔ−ＳＷＩＳＳａｔｅｓｔ試験材料、Ｍｏｖｅｎｓｔｒａｓｓｅ  １２  ＣＨ９０１５  Ｓｔ  Ｇａｌｌｅｎ，Ｓｗｉｔｚｅｒｌａｎｄ）およびＤｉｇｉｅｙｅ画像撮影装置（ＶｅｒｉＶｉｄｅ製のＤｉｇｉｙｅ）を使用した。
【０１１５】
調整されたＥＭＰＡ２２１充填物は、洗濯機で染色することを目的とする染色溶液（Ｄｙｌｏｎ  ｇｏｌｄｆｉｓｈ  ｏｒａｎｇｅ  ｗａｓｈｉｎｇ  ｍａｃｈｉｎｅ  ｄｙｅ（Ｎ°５５））を使用することによって充填物をオレンジに着色することによって調製した。充填物を着色するためには、４０℃で標準的な綿のサイクルを採用する、任意の標準的な家庭用洗濯機が使用され得る。５００ｇの塩と２００ｇのＤｙｌｏｎ  ｇｏｌｄｆｉｓｈ  ｏｒａｎｇｅ  ｗａｓｈｉｎｇ  ｍａｃｈｉｎｅ  ｄｙｅを洗濯機のドラムに添加する。その結果、ドラムは塩および染料がそれ以上見えなくなるまで左右に移動した。その結果、２５個のＥＭＰＡ  ２２１品目（５０ｃｍ×５０ｃｍのサイズ、ほつれを防止するために縁をかがり縫いした）を、品目を折りたたむことなくドラム上に均等に分配させた。４０℃での標準的な綿のサイクルを、１５ｇｐｇの水硬度で行った。サイクルの完了後、５０ｇのＡｒｉｅｌ感応性粉末をディスペンサーに添加し、４０℃での通常の綿のサイクルを水硬度１５ｇｐｇで行った。このサイクルの完了後、洗剤を含まない４０℃での２回の追加の通常の綿のサイクルを、水硬度１５ｇｐｇで行い、次いで品目をライン乾燥させた。注意：新品のＥＭＰＡ２２１品目は、ドラム式Ｍｉｅｌｅ洗濯機に２５個の品目を添加し、５０ｇのＡｒｉｅｌ感受性粉末および１５ｇｐｇの水硬度で２回の短縮綿サイクルを６０℃で行い（およそ１時間３０分の持続時間）、続いて洗剤を含まず、１５ｇｐｇの水硬度で２回の短縮綿サイクルを６０℃で行い（およそ１時間３０分の持続時間）、次にタンブル乾燥させた。
【０１１６】
Ｅｌｅｃｔｒｏｌｕｘ  Ｗ５６５プログラマブル洗濯機は、２つのプログラムでプログラムされていた。第１のプログラムを、充填物を均等に濡らすように設計した（プレウェットプログラム）。第２のプログラム（溶解プログラム）は、西ヨーロッパの応力印加サイクル設定の１０分をシミュレートするために利用され、続いて水を汲み出し、１１００ｒｐｍで３分の脱水を開始した。
【０１１７】
2019520280.tif 000002
【０１１８】
５０個の染色されたＥＭＰＡ２２１布地（約２．４５ｋｇ）からなる充填物を、Ｅｌｅｃｔｒｏｌｕｘ  Ｗ５６５洗濯機に均一に導入し、プレウェットプログラムを開始した。プレウェットプログラムの後、６つの水溶性単位用量物品を濡れた充填物にわたって均一に分配し、その後溶解プログラムを開始した。全プログラムの最後に、濡れた充填物を格付け室（Ｄ６５照明条件を備えられた）に移し、専門の評価者によって残留物を評価した。残存する界面活性剤または余分なＰＶＡのために変色点を有する各々の布地を、画像解析のための充填物から選択した。
【０１１９】
この画像解析は、Ｄｉｇｉ−Ｅｙｅカメラを使用して、選択した布地の各面の画像を取得することによって行った（設定：「ｄ９０の散乱光、シャッター時間１／４、口径８」）。コントラストを高めるには、布地を灰色または黒色の背景に置く必要がある。この後、画像分析ソフトウェアにより画像を評価して、充填物で検出された残留物の総サイズ（ピクセル数）を計算した。このツールは、デルタＥ閾値（６のデルタＥ）を用いて、通常のバラストとは異なる色のスポットを特定することによって残留物を検出する。１つの機械および充填物について、残留物スコアは、充填物に存在する残留物の総面積を合計することによって算出される。総残留物面積の対数値を計算し、４つの外部反復、すなわち４つの異なる洗濯機の運転の平均値を報告した。
【０１２０】
単位用量物品強度試験方法
この試験方法は、最大１００ｋＮ（キロニュートン）のロードセルを備えたＩｎｓｔｒｏｎ万能材料試験機（Ｉｎｓｔｒｏｎ  Ｉｎｄｕｓｔｒｉａｌ  Ｐｒｏｄｕｃｔｓ，８２５  Ｕｎｉｖｅｒｓｉｔｙ  Ａｖｅ．，Ｎｏｒｗｏｏｄ，ＭＡ  ０２０６２−２６４３）を用いて、単位用量物品強度を決定するための実践を記述する。単位用量物品の圧縮を介して、この方法は、フィルムおよび密封領域に圧力をかけることによって単位用量物品の全体的な強度（ニュートン単位）を決定する。単位用量物品強度（ニュートン単位）は、単位用量物品が壊れる前に支持できる最大充填物として定義される。２５０Ｎ未満の圧力で、密封領域で開口する単位用量物品は、密封不良として報告され、平均単位用量物品強度を決定する際には考慮されない。
【０１２１】
単位用量物品強度を、単位用量物品製造の１時間後すぐに測定し、フィルム／単位用量物品が変換後に硬化時間を有するようにした。この方法は、３０％〜４０％の相対湿度（ＲＨ）および２０％で２３℃の室内環境で実施した。保管単位用量物品を、試験前に１時間試験室環境に再平衡させた。
【０１２２】
図１は、単位用量物品強度試験の基本構成の概略図を示す。単位用量物品強度を測定するために、単位用量物品５１０を、プラスチックの脱気された袋５００（封止を有する１５０ｍｍ×１２４ｍｍ、６０ミクロンの厚さ、例えばＲａｊａグリップＲＧＰ６Ｂ）に封入して、単位用量物品の破裂時の作業環境の汚染を防止した。袋内に封入後、単位用量物品５１０を、器具の２つの圧縮板５２０、５３０の間の中央に位置させた。単位用量物品５１０を、幅密封寸法５４０（例えば、試験される実際の単位用量の物品では４１ｍｍである、密封領域をちょうど包囲する定義された長方形の平面内の最も小さな寸法）が、幅密封部上に応力が印加されるように圧縮板の間（ｘ方向）にあるように、直立位置で配置した。圧縮のために、板５２０および５３０の間の距離を減少させる速度を、６０ｍｍ／分に設定する。複製を、試験区間毎に１０回行い、上記に定義される密封不良を除く平均単位用量物品強度データを報告する。
【０１２３】
引張歪み試験およびｅ−弾性率試験
引張歪み（ＴＳ）試験に従う引張歪みおよび弾性率（ＭＯＤ）試験によるｅ−弾性率（引張弾性率または引張応力）によって特徴付けられるか、またはこれらについて試験される水溶性フィルムを、以下の通りに分析した。この手順は、ＡＳＴＭ  Ｄ  ８８２（「薄いプラスチックシートの引張特性のための標準試験方法」）に従った、引張歪みの決定およびｅ−弾性率の決定を含む。フィルムデータの収集には、ＩＮＳＴＲＯＮ引張試験装置（５５４４型引張試験機または同等物−Ｉｎｓｔｒｏｎ  Ｉｎｄｕｓｔｒｉａｌ  Ｐｒｏｄｕｃｔｓ，８２５  Ｕｎｉｖｅｒｓｉｔｙ  Ａｖｅ．，ＮｏｒＷｏｏｄ，ＭＡ  ０２０６２−２６４３）を使用した。寸法安定性および再現性を確実にするために、信頼できる切削工具（例えば、ＪＤＣ精密試料カッター、１−１０型、Ｔｈｗｉｎｇ  Ａｌｂｅｒｔ  Ｉｎｓｔｒｕｍｅｎｔ  Ｃｏｍｐａｎｙ，Ｐｈｉｌａｄｅｌｐｈｉａ，ＰＡ  Ｕ．Ｓ．Ａ製）でそれぞれ切断した最低３つの試験片を、機械方向（ＭＤ）（適用可能な場合）、すなわち水溶性フィルムロール巻取り／巻き出し方向で各測定について試験した。水溶性フィルムを、環境条件を試験するために最低４８時間事前調整した。試験を、２３±２．０°Ｃおよび３５±５％相対湿度の標準的な実験室雰囲気中で行った。引張歪みまたは弾性率決定のために、３．０±０．１５ｍｉｌ（または７６．２±３．８μｍ）の厚さを有する単一のフィルムシートの１インチ幅（２．５４ｃｍ）の試料を用意する。ｅ−弾性率試験のために、バージンフィルムを試験した。引張歪み試験のために、試験フィルムを、最初に試験洗剤中に下記のプロトコルに従って予め浸漬した。その後、試料をＩＮＳＴＲＯＮ引張試験機に移して試験を進めた。引張試験機を、製造業者の指示に従って用意し、５００Ｎロードセルを備え、較正した。正しいグリップおよびフェースを取り付けた（ゴムコーティングされ、幅２５ｍｍである、型番号２７０２−０３２フェースを有するＩＮＳＴＲＯＮグリップ、または同等物）。試料を引張試験機に取り付け、１Ｎ／分の速度で伸長させ、ｅ−弾性率（すなわち、弾性変形領域における応力−歪み曲線の傾き）および引張破断歪み（すなわち、フィルム破断時に得られる伸び％、すなわち１００％は開始長さを反映し、２００％はフィルム破断時に２倍に延伸されたフィルムを反映する）を決定するように分析した。最低３つの試験片の平均を計算し、報告した。
【０１２４】
フィルム事前浸漬プロトコル
液体家庭用洗剤組成物を封入する密封区画を形成するために使用されることを意図した１１ｃｍ×１２ｃｍのフィルム試料を両方のフィルムから調製した。試験フィルムを含む密封区画内に封入されることを意図した合計７５０ｍｌの家庭用液体洗剤組成物が、各試験フィルムに必要であった。清潔な不活性ガラス受容器の底を薄い液体層で覆い、試験されるフィルムを液体上に広げて、フィルムの下に閉じ込められた気泡を静かに両側に押し込んだ。次いで、残りの液体を、フィルムが液体中に完全に浸漬されるような方法で、フィルムの上に静かに注いだ。フィルムにしわがなく、気泡がフィルムに触れないようにする必要がある。フィルムを液体と接触したままにして、密閉容器条件下で、３５℃で６日間、その後２１℃で一晩保管した。試験フィルム毎に、別々のガラスレシピエントを使用した。次いで、フィルムを保管容器から取り出し、余分な液体をフィルムから除去した。ベンチペーパーの上に置いたフィルムの上に一枚の紙を置き、次いで、フィルムを乾燥紙で完全に拭き取り乾燥させた。結果として、フィルムは、上記に説明される通り、引張歪み環境試験条件に事前調整された。密閉型家庭用洗剤組成物を封入しようとする場合、引張歪み試験のためにバージンフィルムを使用した。
【０１２５】
保水量の測定方法
保水量をＤＶＳ（Ｄｙｎａｍｉｃ  Ｖａｐｏｒ  Ｓｏｒｐｔｉｏｎ）機器で測定した。使用した２０の機器は、ＰｒｏＵｍｉｄ製のＳＰＳ−ＤＶＳ（浸透性キットを備えたＳＰＳｘ−１μ高負荷型）であった。ＤＶＳは、吸湿／脱着の測定に重量測定を使用し、完全に自動化されている。
【０１２６】
システムの精度は、ＲＨ（相対湿度）が０〜９８％の範囲では±０．６％、２５℃の温度では±０．３℃である。温度は、＋５〜＋６０℃の範囲であり得る。この機器の微量天秤は、質量変化で０．１ｊｔｇ分解することができる。各フィルムの２つの複製を測定し、平均保水量値を報告する。
【０１２７】
試験の特定の条件については、５枚のフィルムを同時に試験することが可能である６パンのカルーセル（１パンが微量天秤の基準として使用され、空のままである必要がある）を使用した。
【０１２８】
各パンは、フィルムを固定するように設計されたネジ付きアルミニウムリングを有する。フィルム片をパンの上に置き、穏やかに伸ばした後、リングを上に置き、フィルムをネジでしっかりと固定し、余分なフィルムを取り除いた。パン表面を覆うフィルムは、８０ｍｍの直径を有した。
【０１２９】
温度を２０℃に固定した。相対湿度（ＲＨ）を、６時間３５％に設定し、次いで、５分で５０％に徐々に上昇させた。ＲＨは、１２時間５０％のままであった。測定の合計持続時間は１８時間であった。
【０１３０】
サイクル時間（＝各パンを測定する間の時間）を、１０分に設定し、ＤＶＳは、各重量結果を時間に対して記録し、自動的にＤｍ％（相対重量変化対フィルムの開始重量、すなわち１０％は、出発フィルム重量に対して１０％のフィルム重量増加を反映する）を計算する。
【０１３１】
保水量を（または、２０℃で１２時間の一定時間中に５０％のＲＨサイクルにわたって得られたＤｍ％）を、５０％のＲＨにおけるＤｍ％の値（５０％のＲＨで測定した最後の値）から３５％のＲＨにおけるＤｍ％（５０％のＲＨまで上昇する前の最後の値）を差し引いた差異によって計算した。
【実施例】
【０１３２】
以下の単位用量物品を調製し、本明細書に記載されるプロトコル毎に単位用量物品強度について試験した。本発明の範囲外の比較の単位用量物品を、単一フィルム型から調製したが、本発明による実施例の単位用量物品は、本発明によるｅ−弾性率が異なる２つの異なるフィルムから調製した。
【０１３３】
４１ｍｍ×４３ｍｍのフットプリント、２０．１ｍｍの空洞深さ、および２５ｍｌの空洞容積を有する多区画の水溶性単位用量物品を、熱／真空成形によって作製した。
【０１３４】
二重フィルムの実施例では、単位用量物品のフィルムＡおよびＣを、真空下で変形させ、一方で、フィルムＢおよびＤを、それぞれ閉鎖フィルムとして使用した。Ｆａｉｒｙ  ｎｏｎ−Ｂｉｏ  ３−ｉｎ−１水溶性単位用量物品製品の底部区画において、２０１６年１月に英国で市販されている標準的な洗剤組成物を、試験組成物としてこれらの単位用量物品内に封入した。
【０１３５】
以下の表１は、比較および例示的な単位用量物品を調製するために使用されるフィルム組成物の詳細を示す。
【表１−１】
2019520280.tif 000003
【表１−２】
2019520280.tif 000004
【０１３６】
下記の表２は、実施例で使用した各フィルムの物理的特性を詳細に示す。
【表２】
2019520280.tif 000005
【０１３７】
以下の表３から、本発明の範囲によるｅ−弾性率が異なる２つのフィルムからなる実施例の単位用量物品１および２が、劣っている単位用量物品強度を示す単一型フィルムから作られたそれぞれの比較実施例１および２と比較して、良好なパウチ強度の両方を提供することは明らかである。
【表３】
2019520280.tif 000006
【０１３８】
いずれの相互参照または関連特許もしくは出願を含む、本明細書で引用されるすべての文献は、明示的に除外または限定されない限り、本明細書にその全体において参照により本明細書によって組み込まれる。任意の文書の引用は、本明細書に開示または請求された発明に関する先行技術であること、またはそれ単独で、または他の任意の参考文献との任意の組み合わせで、そのような発明を教示、示唆または開示することを認めるものではない。さらに、本明細書中の用語のいずれの意味または定義が、参照により組み込まれる文献中の同じ用語のいずれの意味または定義と矛盾する限りでは、本明細書中でその用語に割り当てられた意味または定義が適用される。
【０１３９】
本発明の特定の実施形態が例示され、説明されているが、本発明の主旨および範囲から逸脱することなく、様々な他の変更および修正が行われ得ることは、当業者には明らかであろう。したがって、添付の特許請求の範囲において、本発明の範囲内にあるすべてのそのような変更および修正を包含することが意図される。
【図１】
2019520280.tif 000007
【図２】
2019520280.tif 000008
【図３】
2019520280.tif 000009
【国際調査報告】
2019520280.tif 000010
2019520280.tif 000011